(57)【要約】  【課題】  組立て物品収容ケースなどの樹脂製物品の構成シートを補強するに好適な装置を提供する。  【解決手段】  型抜きした硬質樹脂シートを折曲して組立てた物品収容ケースなどの物品の構成シートにおいて、該構成シート２の直縁状の端縁に折り返して連設した方形状の補強片６の、前記端縁に沿う先端側の自由端６ａ部を前記構成シート２に熔着して前記補強片と該構成シートとの間に隙間ａを設ける。【選択図】    図３
2005096780.tif 000002
【特許請求の範囲】
【請求項１】
型抜きした硬質樹脂シートを折曲して組立てた物品収容ケースなどの組立て物品の構成シートにおいて、該構成シートの直縁状の端縁に折り返して連設した方形状の補強片の、前記端縁に沿う先端側の自由端部を前記構成シートに止着して前記補強片と該構成シートとの間に隙間を設けた、物品収容ケースなどの樹脂製シート組立て物品における構成シートの補強装置。
【請求項２】
補強片の両側端部の一方又は双方を構成シートに止着した、請求項１記載の物品収容ケースなどの樹脂製シート組立て物品における構成シートの補強装置。
【発明の詳細な説明】
【技術分野】
【０００１】
本発明は、シート体をプレス手段で型抜きして当該ケースの展開状態の樹脂シートを得、該樹脂シートを所定の折込み線に従って折曲して、所定の構成シート同士を互いに止着して構成した樹脂製組立て物品を構成する構成シートの補強装置に関するものである。
【背景技術】
【０００２】
シート体をプレス手段で型抜きしていわば展開状態のシートを折曲して組立てた物品収容ケースは、物品収容部を単層構造シートで構成するため、該口縁（開口部の）が剛性に欠け、従って、保形性に難点がある。
【０００３】
このため、物品収容部の構成シートに、該構成シートに連設した補強片を折り返して貼着重合して補強し、前記の欠点を回避するようにしている（例えば、特許文献１）。
【０００４】
【特許文献１】特開平７−１７２０９２号公報
【発明の開示】
【発明が解決しようとする課題】
【０００５】
前記特許文献記載の構造のものは、いわば二重構造にして単層構造に欠ける剛性を補強するものであるが、貼着手段によって２枚のシート体を重合するようにするため、殊に、樹脂シートで当該物品収容ケースを構成する場合の、樹脂シートの備えている弾性（補強片を折り返して形成することによって生じる）を考慮したとき、その作業が煩雑である。
【０００６】
本発明は、組立て物品収容ケースなどの樹脂製シート組立て物品の構成シートを補強するに好適な装置を提供すべく創案したものである。
【課題を解決するための手段】
【０００７】
型抜きした硬質樹脂シートを折曲して組立てた物品収容ケースなどの物品の構成シートにおいて、該構成シートの直縁状の端縁に折り返して連設した方形状の補強片の、前記端縁に沿う先端側の自由端部を前記構成シートに止着して前記補強片と該構成シートとの間に隙間を設けた構成とするのである。
【０００８】
なお、補強片の両側端部の一方又は双方を構成シートに止着した点を付加しても良い。
【発明の効果】
【０００９】
本発明によれば、構成シートに隙間を介して補強片が重なり合う構成を採るから、当該構成シート部は保形性があって、折れ曲がりにくく、構成シートを薄肉にしても不都合のない組立て物品を提供できる。
【実施例】
【００１０】
図面は、本発明に係る物品収容ケースなどの樹脂製シート組立て物品の構成シートの補強装置の実施例を示し、図１は斜視図、図２は一部欠截平面図、図３は一部の縦断面図、図４は樹脂シートの展開図、図５は第二実施例の斜視図である。
【００１１】
実施例のものは、ポリプロピレンシート（硬質すなわち保形性が有り、弾性変形可能な樹脂シートであれば良い）をプレス手段によって型抜きして得たシート体Ａａを組立てて構成した、上面開口の箱体で成り、概し、書類などを整理、保管するために用いる所謂ボックス（箱）ファイルＡに本発明を適用したものである。
【００１２】
前記シート体Ａａは、前壁構成シート１の相対する両側に折目ａを介して左右の側壁構成シート２，３を連設し、左右の側壁構成シート２，３の前記折目ａに平行する自由端には折目ａ´を介して後壁構成シート４，４´を連設すると共に、前記折目ａ´に直交する方向に沿う、前壁構成シート１、左右の側壁構成シート２，３および左側壁構成シート２に連設した前記後壁構成シート４のそれぞれの一端にはそれぞれ折曲ａ´´を介して底壁構成シート５Ａ，５Ｂ，５Ｃ，５Ｄを連設し、この底壁構成シート５Ａ，５Ｂ，５Ｃ，５Ｄ側の一端に対応する、左側壁構成シート２の他の一端である直縁状の端縁には折目ａ´´´を介して方形状の補強片６を、また、同じく対応する右側壁構成シート３の他の一端である直縁状の端縁には折目ａ´´´´を介して補強片７をそれぞれ連設して構成したものである。
【００１３】
そして、折目ａ´´´，折目ａ´´´´に沿って山方向に折曲して補強片６，７を左側壁構成シート２又は右側壁構成シート３側に折り返して互いに熔着し、互いに平行する折目ａ，ａ，ａ´，ａ´に沿って山方向に折曲して側壁構成シート２，３に連設した後壁構成シート４，４´を互いに重合させて熔着して全体として方形筒状体と成し、しかる後、折目ａ´´´に沿って折曲して、前壁構成シート１、左右の側壁構成シート２，３および左側壁構成シート２に連設した一方の後壁構成シート４のそれぞれに連設した底壁構成シート５Ａ，５Ｂ，５Ｃ，５Ｄを互いに組合わせて、各構成シート１，２，３，４，５Ａ乃至５Ｄで上面開口の方形の物品収容部１０を備えたボックスファイルＡとしたものである。
【００１４】
実施例のボックスファイルＡは、立面壁を構成する左右の側壁構成シート２，３においては補強片６，７を重合させることによって、後壁構成シート４，４´においては該シート４，４´を互いに重合させることによってそれぞれ補強し、当初の箱形状を可及的に維持するようにしてある。すなわち、左側壁構成シート２は、前記物品収容部１０の口縁に位置する折目ａ´´´´に沿って補強片６を折り返して該左側構成シート２に重ね合わせ、補強片６の先端側の自由端６ａ部と両側端６ｂ，６ｂ部を、スポット熔着１１，…することによって補強される。
【００１５】
左側壁構成シート２に係る、この補強手段は、補強片６の、左側壁構成シート２の直縁状の端縁（前記一端）と自由端６ａとの（図１の図面上、横方向に沿う）幅が比較的幅広い場合に有効である。
【００１６】
すなわち、左側壁構成シート２の前記他の一端（直縁状の端縁）に沿わせて補強片６を折曲して当該シート２に重ね合わせてスポット熔着するのであるが、この際、該補強片６の先端側の自由端６ａ部と両側端６ｂ，６ｂ部のみを当該シート２に熔着するだけで済ませることにより熔着作業の省力化を図ることができ、他方、シート２と補強片６との間に隙間ａが形成されるから、補強片６とシート２との重合部は全体として袋状となって、屈曲変形しにくくなることになるのである。
【００１７】
補強片６と構成シート２との互いの熔着は、両側端６ｂ，６ｂ部の一方の構成シート２との熔着は省略しても良く、また、両側端６ｂ，６ｂ部双方の構成シート２との熔着は省略しても良く、この場合は左側壁構成シート２と補助片６との重合部は全体として筒状となって屈曲変形しにくくなる。
【００１８】
なお、左側壁構成シート２に対して補助片６を重ね合わせてその先端部を熔着する際、補助片６等は樹脂（ポリプロピレン）を素材とし、かつ、ある程度の板厚と硬さ（弾性変形する）を備えているため、該補助片６の全域が構成シート２に密接する態様で重なりにくく、この密接した態様での重なりにくさが作用して先端側の自由端６ａ部が構成シート２に熔着されるから、例えば図３で示すように補助片６はわずかな断面円弧形に屈曲され、その分、重合部の屈曲変形のしにくさが増長される。
【００１９】
補助片６の、この断面円弧形を期待するには、当初から円弧形にして自由端部６ａを熔着しても良いが、前記のような素材を選択することにより熔着作業時に自然に形成することができる。
【００２０】
また、右側壁構成シート３は、前記物品収容部１０の口縁に位置する折目ａ´´´´に沿って補強片７を折り返して該右側壁構成シート３に重ね合わせ、補強片７の全域を構成シート３にスポット熔着１１，…することによって補強され、後側壁構成板４，４´は重ね合わせた全域をスポット熔着１１，…することによって補強される。
【００２１】
所謂スポット熔着１１に限らず前記の自由端部６ａ部などの熔着個所全域をシート２，３に対して溶着しても良い。
【００２２】
もっとも、止着手段として熔着手段が好適であるが、貼着手段や鋲着手段を用いても不都合はない。
【００２３】
因みに、図５は所謂ファイルの表紙２１に本発明を適用したもので、第一実施例と同様に樹脂製シートで成る表紙シート２１Ａの直縁状の開口端２１Ａ´に沿って連設した方形状の補強片２２を折り返してその自由端２２ａ部を表紙シート２１Ａにスポット熔着１１して補強片２２と表紙シート２１Ａとの間に隙間ａが形成されるようにしたもので、この場合、補強片２２と表紙シート２Ａの重合部は、折曲変形しにくく、所謂ファイルの縦方向に沿って配せられるから、垂直方向のたわみに強くなり、使用勝手の良好なファイルを得ることができる。
【００２４】
本発明は、片抜きした硬質樹脂シートを折曲して組立て物品の構成シートを補強するもの（概し、事務用品）であれば良く、実施例のようなボックスファイルやファイルに適用範囲を限定する必要はない。
【図面の簡単な説明】
【００２５】
【図１】斜視図。
【図２】一部欠截平面図。
【図３】一部の縦断面図。
【図４】樹脂シートの展開図。
【図５】第二実施例の斜視図
【符号の説明】
【００２６】
２      左側壁構成シート
６      補強片
１１    熔着部
２１Ａ  表紙シート
２２    補強片
ａ      隙間
【図１】
2005096780.tif 000003
【図２】
2005096780.tif 000004
【図３】
2005096780.tif 000005
【図４】
2005096780.tif 000006
【図５】
2005096780.tif 000007